(57)【要約】【課題】照度ムラを抑制するとともに、正面輝度および光利用効率を向上することができる光学シート、それを用いたバックライトユニット、ディスプレイ装置を提供すること。【解決手段】光制御シート１は基材部１ｂを備える。基材部１ｂの光入射面に、一方向に配向された微細な多数の集光レンズ１ｃが設けられ、光出射面に、集光レンズ１ｃの配向方向と略並行して配向された微細な多数の拡散レンズ１ａが設けられている。集光レンズ１ｃは、入射した光線が拡散レンズ１ａのレンズ表面へ集光するような光学的構造を持っている。拡散レンズ１ａは、前記集光した光を光制御シート１の法線方向に沿って進む略平行光として拡散させる光学的構造をもっている。反射層１ｄは、隣り合う集光レンズ１ｂの間にそれぞれ設けられ隣り合う集光レンズ１ｂの間の箇所に入射される光線を反射させる多数の反射部１ｄ―１から構成されている。【選択図】図１
2009080357.tif 000002
【特許請求の範囲】
【請求項１】
厚さ方向の一方の面が光入射面とされ、厚さ方向の他方の面が光出射面とされる光制御シートであって、
前記光入射面に、一方向に配向された微細な多数の集光レンズが設けられ、
前記光出射面に、前記集光レンズの配向方向と略並行して配向された微細な多数の拡散レンズが設けられ、
前記集光レンズは、前記光入射面に入射した光線を前記拡散レンズの表面上に集光させる光学的構造を備え、
前記拡散レンズは、前記集光した光を前記光制御シートの法線方向に沿って進む略平行光として拡散させる光学的構造を備え、
前記光入射面に反射層が設けられ、
前記反射層は、前記隣り合う集光レンズの間にそれぞれ設けられ前記隣り合う集光レンズの間の箇所に入射される光線を反射させる多数の反射部から構成されている、
ことを特徴とする光制御シート。
【請求項２】
請求項１に記載の光制御シートと、前記光制御シートの光出射面側に配置された光拡散シートとを備える光学シート構造体。
【請求項３】
請求項１に記載の光制御シートと、前記光制御シートの光出射面側に配置された反射型偏光フィルムとを備える光学シート構造体。
【請求項４】
請求項１に記載の光制御シートと、前記光制御シートの光出射面側に配置された輝度上昇フィルムとを備える光学シート構造体。
【請求項５】
請求項１に記載の光制御シートと、前記光制御シートの光出射面側に配置され光の方向、範囲、色、輝度分布の少なくとも何れかを制御する光学シートとを備え、前記光制御シートと前記光学シートとは、間隔をあけて、もしくは間隔をあけないで積層されている光学シート構造体。
【請求項６】
請求項１に記載の光制御シートまたは請求項２乃至５に何れかに記載の光学シート構造体と、前記光制御シートの光入射面側に配置された光拡散板とを備える光学シート構造体。
【請求項７】
請求項６に記載の光学シート構造体において、前記反射層と前記光拡散板は接合され一体化されている光学シート構造体。
【請求項８】
請求項１に記載の光制御シートまたは請求項２乃至７に何れかに記載の光学シート構造体と、光源とを備えるバックライトユニット。
【請求項９】
請求項８に記載のバックライトユニットと、該バックライトユニットからの光を表示光として画像表示を行う液晶表示部とからなるディスプレイ装置。
【発明の詳細な説明】
【技術分野】
【０００１】
本発明は、光学シート、それを用いたバックライトユニット、およびディスプレイ装置に関する。例えば、液晶テレビ等の照明に用いるのに好適な光学シート、それを用いたバックライトユニット、およびディスプレイ装置に関する。
【背景技術】
【０００２】
従来、例えば液晶表示装置（ＬＣＤ）に代表されるディスプレイ装置は、画像信号に応じて各画素のＯＮ／ＯＦＦが制御される液晶表示素子の背面側に、バックライトユニットを配置し、このバックライトユニットからの光を表示光として利用している。バックライトユニットは種々の構成が知られているが、液晶表示素子の背面側に、複数の冷陰極管を平行に配列して、さらにその背面を反射板で囲った直下型のバックライトユニットがよく用いられている。このような直下型のバックライトユニットでは、光源の光強度分布が一様でないため、照度ムラが発生し易く、集光した光を光拡散板などによって拡散させたり、透過光量を制限したりすることで、照度ムラを低減している。
このようなバックライトユニットの一例として、例えば、特許文献１には、規則的に配置した複数の光源と、反射板と、光源および反射板からの光が透過する際に出射方向を制御する光制御部材（光学シート）と、光拡散シートとを少なくとも備える直下方式の照明装置であって、光源が略線状であり、光入射側から光出射側に向かって反射板、光源、光制御部材、光拡散シートがこの順に配置され、光制御部材の光源からの光が入射する面または光が主に出射する面の少なくとも１面に光源の長手方向と略平行な帯状の凹凸形状が周期的に形成され、光拡散シートの光出射面に複数の凸部が形成されているものが記載されている。
【特許文献１】特公平１−３７８０１号公報
【特許文献２】特開平６−１０２５０６号公報
【特許文献３】特表平１０−５０６５００号公報
【発明の開示】
【発明が解決しようとする課題】
【０００３】
しかしながら、上記の従来の光学シート、それを用いたバックライトユニット、およびディスプレイ装置には、以下のような問題があった。
従来の技術では、光源のランプイメージを緩和するために、輝度向上用のレンズシートと、光源の間に拡散性の強い光拡散板が具備されている。しかしこの構成における光拡散版は拡散作用が強く、ランプイメージを消す代わりに、正面輝度も低下させてしまうという問題がある。
【０００４】
本発明は、上記のような問題に鑑みてなされたものであり、照度ムラを抑制するとともに、正面輝度および光利用効率を向上することができる光学シート、それを用いたバックライトユニット、およびディスプレイ装置を提供することを目的とする。
【課題を解決するための手段】
【０００５】
上記の課題を解決するために、請求項１に記載の発明は、厚さ方向の一方の面が光入射面とされ、厚さ方向の他方の面が光出射面とされる光制御シートであって、前記光入射面に、一方向に配向された微細な多数の集光レンズが設けられ、前記光出射面に、前記集光レンズの配向方向と略並行して配向された微細な多数の拡散レンズが設けられ、前記集光レンズは、前記光入射面に入射した光線を前記拡散レンズの表面上に集光させる光学的構造を備え、前記拡散レンズは、前記集光した光を前記光制御シートの法線方向に沿って進む略平行光として拡散させる光学的構造を備え、前記光入射面に反射層が設けられ、前記反射層は、前記隣り合う集光レンズの間にそれぞれ設けられ前記隣り合う集光レンズの間の箇所に入射される光線を反射させる多数の反射部から構成されていることを特徴とする光制御シートである。
この発明によれば、前記集光レンズは、前記光源から射出した光線を前記拡散レンズ表面上に集光させることによって、光源からの光線を拡散レンズ表面上の略１点で屈折させることができるため、光源からの光線の角度依存性をなくすことができ、光拡散作用の強い拡散板を使用せずに、輝度分布を均一化し、輝度ムラを低減することができる。また、反射層を設けることによって、光源からの光線の入射角を制御することが可能となる。また、通常光源と光制御シートの間には光源ムラを緩和させる拡散性の強い拡散板を使用するが、本発明の光制御シートでは正面輝度の向上と光源ムラ（光源と光源を間隔を置いて配置するため、光源の明るいところ光源のないくらいところが表示ムラとして認識されてしまうこと）緩和の２つの機能を搭載しているため、通常ＢＥＦ等の光学シートの下に光源ムラを無くすための拡散性の強い拡散板を必要としない。ここで言う強拡散層とはＨｚ８０〜９９程度のものである。また、前記集光レンズは、前記光源から射出した光線を前記拡散レンズ表面上に集光させることで、集光レンズへの入射角のそろった入射光を拡散レンズの表面上の同じ傾き成分で屈折させることによって、正面輝度向上と光源ムラ緩和の２つの機能を同時に搭載する事が可能となる。集光ポイントエリアは小さければ小さいほど好ましいが、集光レンズの収差によって、１点にはならない。レンズ断面で考えた場合、集光レンズのピッチの５分の１程度あるいはそれ以下となればさらなる機能を発揮することが可能となる。
【０００６】
請求項２に記載の発明は、請求項１に記載の光制御シートと、前記光制御シートの光出射面側に配置された光拡散シートとを備える光学シート構造体である。
この発明によれば、液晶パネルの画素構造と光制御シートのレンズ構造によるモアレを抑制することが可能となる。
【０００７】
請求項３に記載の発明は、請求項１に記載の光制御シートと、前記光制御シートの光出射面側に配置された反射型偏光フィルムとを備える光学シート構造体である。
この発明によれば、液晶パネルに合った反射型偏光フィルムを用いることによって、さらなる輝度上昇効果を付与することが可能となる。
【０００８】
請求項４に記載の発明は、請求項１に記載の光制御シートと、前記光制御シートの光出射面側に配置された輝度上昇フィルムとを備える光学シート構造体である。
この発明によれば、輝度上昇フィルムを用いることによって、さらなる輝度上昇効果を付与することが可能となる。
【０００９】
請求項５に記載の発明は、請求項１に記載の光制御シートと、前記光制御シートの光出射面側に配置され光の方向、範囲、色、輝度分布の少なくとも何れかを制御する光学シートとを備え、前記光制御シートと前記光学シートとは、間隔をあけて、もしくは間隔をあけないで積層されている光学シート構造体である。
この発明によれば、間隔をあけて積層した場合には輝度上昇効果を付与することが可能となり、間隔をあけないで積層すれば視野角拡大の効果が付与する事が可能となる。
【００１０】
請求項６に記載の発明は、請求項１に記載の光制御シートまたは請求項２乃至５に何れかに記載の光学シート構造体と、前記光制御シートの光入射面側に配置された光拡散板とを備える光学シート構造体である。
請求項７に記載の発明は、請求項６に記載の光学シート構造体において、前記反射層と前記光拡散板は接合され一体化されている光学シート構造体である。
これらの発明によれば、輝度ムラを無くす上で有利となる。
【００１１】
請求項８に記載の発明は、請求項１に記載の光制御シートまたは請求項２乃至７に何れかに記載の光学シート構造体と、光源とを備えるバックライトユニットである。
このバックライトユニットによれば、請求項１に記載の光制御シートまたは請求項２乃至７に何れかに記載の光学シート構造体を用いるので、それら発明と同様の作用効果を備える。
【００１２】
請求項９に記載の発明は、請求項８に記載のバックライトユニットと、該バックライトユニットからの光を表示光として画像表示を行う液晶表示部とからなるディスプレイ装置である。
このディスプレイ装置によれば、請求項１に記載の光制御シートまたは請求項２乃至７に何れかに記載の光学シート構造体を用いるので、それら発明と同様の作用効果を備える。
【発明の効果】
【００１３】
本発明の光学シート、それを用いたバックライトユニット、およびディスプレイ装置によれば、拡散光を略平行光にして出射するので、照度ムラを抑制するとともに、正面輝度および光利用効率を向上することができるという効果を奏する。
【発明を実施するための最良の形態】
【００１４】
以下では、本発明の実施形態について添付図面を参照して説明する。すべての図面において、実施形態が異なる場合であっても、同一または相当する部材には同一の符号を付し、共通する説明は省略する。
【００１５】
［第１の実施形態］
本発明の第１の実施形態に係る光学シートについて、それを用いたバックライトユニット、ディスプレイ装置とともに説明する。
図１は、本発明の第１の実施形態に係るディスプレイ装置の概略構成を示す模式的な断面図である。
図２は、本発明の第１の実施形態に係る光制御シートの光線追跡模式図である。
図３は、本発明の第１の実施形態に係る光学シートの遮光層高さによる光源からの高入射角抑制を説明する模式説明図である。
【００１６】
本実施形態のディスプレイ装置は、光源２０（２０ａ）と、光制御シート１と、液晶パネル２２とを備え、バックライトユニットは、光源２０（２０ａ）と、光制御シート１とを備えている。
光制御シート１は、厚さ方向の一方の面が光入射面とされ、厚さ方向の他方の面が光出射面とされる基材部１ｂを備え、基材部１ｂの光入射面に、一方向に配向された微細な多数の集光レンズ１ｃが設けられ、光出射面に、集光レンズ１ｃの配向方向と略並行して配向された微細な多数の拡散レンズ１ａが設けられている。
また、基材部１ｂの光入射面に反射層１ｄが設けられ、反射層１ｄは、隣り合う集光レンズ１ｂの間にそれぞれ設けられ隣り合う集光レンズ１ｂの間の箇所に入射される光線を反射させる多数の反射部１ｄ―１から構成されている。
なお、図１において符号２０ｂは光源２０の光反射部を示している。
【００１７】
光源２０は、直下型方式を採用しており、エッジ型のバックライトと区別している。
光源２０ａは、適宜の線状光源を採用することができるが、本実施形態では、一例として冷陰極管を採用している。なお、本発明は、エッジ型のバックライトにも無論適用可能である。
【００１８】
図２、図７は、本発明の第１の実施形態に係る光制御シートの光線追跡模式図である。光源２０から射出した光線は直接集光レンズ１ｃへ入射する。この際に集光レンズ１ｃは、入射した光線が拡散レンズ１ａのレンズ表面へ集光するような光学的構造を持っている。
また、拡散レンズ１ａは、前記集光した光を光制御シート１の法線方向に沿って進む略平行光として拡散させる光学的構造をもっている。
通常、図５に示すように、集光レンズ１ｃは存在せず、フラットである場合が多い。入射角によっては、図５のように光線がほとんど拡散しない場合があり、その際観察者側からはランプイメージを視認してしまう。しかし、図６のように集光レンズ１ｃを設け、さらにその集光部分を拡散レンズ１ａのレンズ表面へ集光するようにすることによって、パネル全体での輝度ムラを均一化することが可能となる。ここで図５、図６における光制御シート１の入射角は同じものである。
【００１９】
ここで、集光レンズ１ｃの屈折力を強くすると、ランプイメージをより抑えることが可能となるが、隣のレンズ群に入射する光線が増え、正面輝度低下の要因となってしまう。
【００２０】
図３は、本発明の第１の実施形態に係る光学シートの遮光層高さによる光源からの高入射角抑制を説明する模式説明図である。
この図は反射層１ｄ（反射部１ｄ―１）の高さＴによって、光制御シート１へ入射する角度を制御できることを示している。反射層１ｄの高さＴが高ければ、光制御シート１へ入射する角度を絞ることができ、反射層１ｄの高さＴが低ければ、光制御シート１へ入射する角度を広げることができることを意味している。またこの反射層１ｄの高さＴは、全て光を反射する材料の厚さで調整することも可能であるが、光を反射する材料以外の材料からなるゲタ１ｅで調整する方が容易である。
【００２１】
光制御シート１は、例えば、ポリエチレンテレフタレート（ＰＥＴ）樹脂、ポリカーボネート（ＰＣ）樹脂、メチルメタクリレート−スチレン共重合（ＭＳ）樹脂、ポリメチルメタクリレート（ＰＭＭＡ）、シクロオレフィンポリマー（ＣＯＰ）、アクリルニトリルスチレン共重合体樹脂等の透明樹脂材料を用いて、周知の押し出し成形法、射出成形法、あるいは熱プレス成形法によって形成することができる。もしくは紫外線（ＵＶ）硬化性樹脂などの放射線硬化性樹脂を用いて成形することができる。例えば射出成型の場合、図４に示すように、拡散レンズ１ａ、基材部１ｂ、集光レンズ１ｃを同時に作成すること（一体成形すること）も可能である。
【００２２】
なお、拡散レンズ１ａ、集光レンズ１ｃのアライメントは、特に図示しないが、作成時の機械的な位置決めによって行うことができるようになっている。
【００２３】
光制御シート１の光出射面側に、光の方向、範囲、色、輝度分布の少なくとも何れかを制御する光学シートを配置してもよい。
図８は本発明の光制御シート１上に光拡散シート２、または反射型偏光フィルム３を配置したものである。これら光制御シート１と光拡散シート２により、または光制御シート１と反射型偏光フィルム３によりバックライトユニット用の光学シート構造体が得られ、また、ディスプレイ装置用の光学シート構造体が得られ、さらなる正面輝度上昇を狙うことが可能となる。
【００２４】
図９は本発明の光制御シート１上に輝度上昇フィルム４を配置したものである。これら光制御シート１と輝度上昇フィルム４により、または光制御シート１と輝度上昇フィルム４によりバックライトユニット用の光学シート構造体が得られ、また、ディスプレイ装置用の光学シート構造体が得られ、図８同様、さらなる正面輝度上昇を狙うことが可能となる。
なお、上述の光学シート２、３、４は、光制御シート１と間隔をあけて配置してもよく、もしくは間隔をあけないで積層して配置してもよい。
【００２５】
図１０は光源が、ＲＧＢのＬＥＤ光源２０Ａ、２０Ｂ、２０Ｃの場合である。本発明の光制御シート１を用いることによって、パネル全体の輝度ムラを均一化できるために、色ムラも同様に抑えることが可能となる。これは光源が白色ＬＥＤであっても、同様に輝度ムラを良化させるものである。
【００２６】
このようにして、光源２０から表示画面側に向かう光は、光源配置に起因する照度ムラが低減された状態で、液晶パネル２２に向けて出射される。
【００２７】
次に、具体例に基づいて、本発明の光制御シートの作用を説明する。
図１１は、本発明の第１の実施形態に係る光学シートによる照度分布のシミュレーションの際用いた光学モデル断面図であり、図１２が図１１の横方向断面図である。
線状光源２０ａは本来であれば、通常の液晶パネルにて２０本程度含まれているが、今回はシミュレーションであるため、３本とした。さらに中央以外の線状光源２本は半円状としており、線状光源が複数本並んでいることを想定したシミュレーションとなっている。図３に示すように、光制御シート１の拡散レンズ１ａ一つのピッチＬｐ１は３ｍｍ、集光レンズ１ｃの一つのピッチＬｐ２は１．２ｍｍであり、反射層１ｄの高さＴは０．２４ｍｍ、全体として４４ｍｍ四方の面内においてシミュレーションを行っている。その面内において、輝度ムラをシミュレーションした。
すなわち、実際に使用する光学シートの大きさにすると、Lp1が３００μｍ、Lp2が120μｍ、Tが25μｍで使用することの一例を示したものである。
【００２８】
その結果を図１３〜１８に示す。図１３〜１５は光制御シート１がない場合の輝度ムラシミュレーションであり、図１６〜１８は光制御シート１がある場合の輝度ムラシミュレーションである。また、図１３、図１６は液晶パネル正面方向の輝度ムラであり、図１４、１７は液晶パネル正面方向にたいして上方向２０度から観察することを想定した輝度ムラシミュレーションであり、図１５、１７は液晶パネル正面方向にたいして上方向４０度から観察することを想定した輝度ムラシミュレーションである。この場合の上方向とは、線状光源２０ａの配列方向であり、つまり線状光源２０ａの長手方向に垂直方向である。
【００２９】
図１９より光制御シート１への入射角をθＡとした場合、集光レンズ１ｃのレンズピッチＬｐ２に対する、集光ポイントエリアＷの割合によって、観察者から見た輝度ムラの見え方が異なる。その見え方の度合いを表１に示した。表１は、集光レンズ１ｃの曲率を変化させることによって、焦点距離を変え、集光ポイントエリアＷの幅を変えた際に、人間の目にどのように見えるかの視認評価である。集光ポイントエリアＷは、レンズピッチＬｐ２に対して、小さければ小さいほど好ましいが、ｗ／Ｌｐ２が１／４程度であれば良く、実際１／５以下であると望ましい。
図１３〜１５を見ると光制御シート１がないため当然線状光源の輝度ムラが視認されてしまうが、図１６〜１８では観察角度によらず、輝度ムラが低減されていることがわかる。ここで更に完全に輝度ムラを無くすためには、図２０に示すように、光源２０と光制御シート１の間に光拡散板３０を設けても良い。またこの光拡散板３０と光制御シート１とを反射層１ｄで固定してもよい。
【００３０】
【表１】
2009080357.tif 000003
【００３１】
光拡散板３０は、透明樹脂とこの透明樹脂の中に分散された透明粒子とを具備して構成されており、これら透明樹脂の屈折率と透明粒子の屈折率が異なるものである必要がある。透明樹脂の屈折率と透明粒子の屈折率の差は０．０２以上であることが望ましい。屈折率の差がこれより小さいと十分な光散乱性能が得られない。また、その屈折率差は０．５以下でよい。
光拡散板３０は、この光拡散板３０に入射した光を散乱させながら透過させる必要がある。このため、光散乱層に含まれる前記透明粒子の平均粒径は０．５〜１０．０μｍであることが望ましい。好ましくは１．０〜５．０μｍである。
【００３２】
透明樹脂としては、例えば、アクリルニトリルスチレン共重合体、ポリカーボネート樹脂、アクリル系樹脂、フッ素系アクリル樹脂、シリコーン系アクリル樹脂、エポキシアクリレート樹脂、メチルスチレン樹脂及びフルオレン樹脂等を使用することができる。
また、透明粒子としては、無機酸化物からなる透明粒子又は樹脂からなる透明粒子が使用できる。例えば、無機酸化物からなる透明粒子としてはシリカやアルミナ等からなる粒子を挙げることができる。また、樹脂からなる透明粒子としては、アクリル粒子、アクリルニトリルスチレン共重合体の粒子、スチレン粒子、スチレンアクリル粒子及びその架橋体；メラミン−ホルマリン縮合物の粒子；ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン−テトラフルオロエチレン共重合体）等の含フッ素ポリマー粒子；シリコーン樹脂粒子等を挙げることができる。これら透明粒子は、２種類以上を混合して使用してもよい。
そして、これら透明樹脂中に透明粒子を分散して、押出し成型することにより、板状の光拡散板３０を製造することができる。その厚みは、１〜５ｍｍであることが望ましい。１ｍｍ未満の場合、光拡散板３０は薄くこしがないのでたわむという欠点がある。一方５ｍｍを越えると、光源２０からの光の透過率が悪くなるという欠点がある。
【００３３】
光制御シート１の反射層１ｄでは、光拡散板３０によって散乱された光を光拡散板３０側に反射する。さらに、隣接する２つの反射部１ｄ―１の間が、光拡散板３０によって散乱された光を非光散乱層側である光制御シート１に透過する空気層からなる複数の光透過部となる。このような光透過部を透過する光のみを集光して拡散レンズ１ａ（例えば、単位凸シリンドリカルレンズ）に導くことが可能となる。
光拡散板３０の厚さは、0.1ｍｍから10ｍｍが好ましい。37インチ以上の大型のディスプレイに組み込む際の光拡散板３０のシート剛性を考慮したものである。0.1ｍｍより薄いとシート剛性が低く、たわんでしまい、また１０ｍｍより厚いと光拡散板３０の光拡散性が高くなり光源２０から透過する輝度が低下する。
光拡散板３０を構成する材料として、例えばポリカーボネート、ポリスチレン、ＭＳ樹脂等が上げられる。
【００３４】
また反射層１ｄは、通常は、金属粒子または高屈折率透明粒子を分散混合してなるインキの塗布形成、転写形成、又は金属箔のラミネート形成、または蒸着によって形成される。
さらにこの場合において、光拡散板３０と光反射層１ｄとの接着工程も考慮して、前記金属粒子または高屈折透明粒子を分散混合してなるインキに接着剤を混合したものを用いて光反射層１ｄを作成してもよい。この場合には、反射層１ｄに、光拡散板３０が接合され一体化された光制御シート（または光学シート構造体）が得られる。
【図面の簡単な説明】
【００３５】
【図１】本発明の第１の実施形態に係るディスプレイ装置の概略構成を示す模式的な断面図である。
【図２】本発明の第１の実施形態に係る光制御シートの光線追跡模式図である。
【図３】本発明の第１の実施形態に係る光制御シートの遮光層高さによる光源からの高入射角抑制を説明する模式説明図である。
【図４】本発明の第１の実施形態に係る光制御シートの射出成型、押し出し成型時のレンズ構造説明図である。
【図５】本発明の第１の実施形態に係る光制御シートの微細凹凸集光レンズがない場合の光線追跡図である。
【図６】本発明の第１の実施形態に係る光制御シートの微細凹凸集光レンズがある場合の光線追跡図である。
【図７】本発明の第１の実施形態に係る光制御シートの微細凹凸集光レンズがある場合の光線入射角が変化した場合の光線追跡図である。
【図８】本発明の第１の実施形態の光拡散シート（光学制御シート）、偏光フィルム（光学制御シート）を使用した場合の部分断面図である。
【図９】本発明の第１の実施形態の輝度上昇フィルム（光学制御シート）を使用した場合の部分断面図である。
【図１０】本発明の第１の実施形態の光源にＲＧＢのＬＥＤを用いた場合の模式的な部分断面図である。
【図１１】本発明の輝度ムラをシミュレーションした際の光学モデル斜視図である。
【図１２】本発明の輝度ムラをシミュレーションした際の光学モデル断面図である。
【図１３】光源が線状光源３本の場合の光制御シートがない場合の光制御シート面上でのムラの画面垂直方向（０度方向）の輝度分布である。
【図１４】光源が線状光源３本の場合の光制御シートがない場合の光制御シート面上でのムラの画面垂直方向から（２０度方向上）の輝度分布である。
【図１５】光源が線状光源３本の場合の光制御シートがない場合の光制御シート面上でのムラの画面垂直方向から（４０度方向上）の輝度分布である。
【図１６】光源が線状光源３本の場合の光制御シートがある場合の光制御シート面上でのムラの画面垂直方向（０度方向）の輝度分布である。
【図１７】光源が線状光源３本の場合の光制御シートがある場合の光制御シート面上でのムラの画面垂直方向から（２０度方向上）の輝度分布である。
【図１８】光源が線状光源３本の場合の光制御シートがある場合の光制御シート面上でのムラの画面垂直方向から（４０度方向上）の輝度分布である。
【図１９】光制御シート１への入射角をθＡとした場合、集光レンズ１ｃのレンズピッチＬｐ２に対する、集光ポイントエリアＷの割合によって異なる、観察者から見た輝度ムラの見え方の説明図である。
【図２０】光拡散板を備えるディスプレイ装置の概略構成を示す模式的な断面図である。
【符号の説明】
【００３６】
１  光制御シート
１ａ  微細凹凸拡散レンズ
１ｂ  基材部
１ｃ  微細凹凸集光レンズ
１ｄ  反射スリット層
１ｅ  ゲタ
２  光拡散シート（光学制御シート）
３  偏光フィルム（光学制御シート）
４  輝度上昇フィルム（光学制御シート）
２０  光源部
２０ａ  光源（線状光源）
２０Ａ  ＬＥＤ光源（ＲＥＤ）
２０Ｂ  ＬＥＤ光源（Ｇｒｅｅｎ）
２０Ｃ  ＬＥＤ光源（ＢＬＵＥ）
２０ｂ  光反射部
２１  光学シート
２２  液晶表示部
３０  光拡散板
【図１】
2009080357.tif 000004
【図２】
2009080357.tif 000005
【図３】
2009080357.tif 000006
【図４】
2009080357.tif 000007
【図５】
2009080357.tif 000008
【図６】
2009080357.tif 000009
【図７】
2009080357.tif 000010
【図８】
2009080357.tif 000011
【図９】
2009080357.tif 000012
【図１０】
2009080357.tif 000013
【図１１】
2009080357.tif 000014
【図１２】
2009080357.tif 000015
【図１３】
2009080357.tif 000016
【図１４】
2009080357.tif 000017
【図１５】
2009080357.tif 000018
【図１６】
2009080357.tif 000019
【図１７】
2009080357.tif 000020
【図１８】
2009080357.tif 000021
【図１９】
2009080357.tif 000022
【図２０】
2009080357.tif 000023